(57)【要約】【課題】給湯栓が長期間に渡って継続して使用される場合であっても、浴槽への注湯を可能にしつつ、給湯側の使い勝手を良くすることができる貯湯式給湯機を提供する。【解決手段】給湯栓１および浴槽２に供給可能な湯を貯える貯湯タンク１２を内蔵する貯湯式給湯機１０において、給湯栓１を介した給湯と浴槽２への注湯とが同時に行われる場合に、給湯量が所定の閾値未満である場合に、風呂注湯電磁弁３８を閉止することにより浴槽２への注湯を中止し、当該給湯量が上記閾値以上である場合に、風呂注湯電磁弁３８を開放することにより浴槽２への注湯を許可する。そして、このような風呂注湯電磁弁３８の開閉制御を湯はりが完了するまでの間、繰り返し実行する。【選択図】図１
2011102685.tif 000002
【特許請求の範囲】
【請求項１】
湯を貯える貯湯タンクと、
前記貯湯タンク内の水を加熱する加熱手段と、
前記貯湯タンク内に貯えられている湯を、給湯管を介して給湯栓に供給する給湯手段と、
前記貯湯タンク内に貯えられている湯を、前記給湯管を介して浴槽に供給する注湯手段と、
前記給湯栓を介した給湯の使用の有無を判定する給湯判定手段と、
前記浴槽への注湯の有無を判定する注湯判定手段と、
前記給湯栓を介した給湯量を検知する給湯量検知手段と、
前記給湯栓を介した給湯と前記浴槽への注湯とが同時に行われる場合に、前記給湯量が所定の閾値未満であるか否かを判別する給湯量判別手段と、
前記給湯量が前記閾値未満である場合に、前記浴槽への注湯を中止し若しくは注湯量を減少させ、前記給湯量が前記閾値以上である場合に、前記浴槽への注湯を許可し若しくは注湯量を増加させる湯分配調整手段と、
を備えることを特徴とする貯湯式給湯機。
【請求項２】
前記湯分配調整手段は、前記給湯栓を介した給湯中に前記浴槽への注湯が開始された場合において、前記給湯量が前記閾値未満である場合に、前記浴槽への注湯を中止し若しくは注湯量を減少させ、前記給湯量が前記閾値以上である場合に、前記浴槽への注湯を許可し若しくは注湯量を増加させることを特徴とする請求項１記載の貯湯式給湯機。
【請求項３】
前記湯分配調整手段は、
前記浴槽への注湯中に前記給湯栓を介した給湯が開始された場合に、前記浴槽への注湯を中止し若しくは注湯量を減少させ、前記給湯量が安定した後に、前記浴槽への注湯を許可し若しくは注湯量を増加させる第１湯分配調整手段と、
前記第１湯分配調整手段による湯分配の調整後に、前記給湯量が前記閾値未満である場合に、前記浴槽への注湯を中止し若しくは注湯量を減少させ、前記給湯量が前記閾値以上である場合に、前記浴槽への注湯を許可し若しくは注湯量を増加させる第２湯分配調整手段と、
を含むことを特徴とする請求項１記載の貯湯式給湯機。
【請求項４】
前記給湯栓に供給される湯の温度を検知する湯温検知手段と、
前記湯温検知手段で検知される給湯側出湯温度が安定したか否かを判定する湯温安定判定手段と、更に備え、
前記湯分配調整手段は、前記給湯栓を介した給湯中に前記浴槽への注湯が開始された場合において、前記浴槽への注湯の実行に伴って前記給湯側出湯温度が安定した場合に前記浴槽への注湯を中止し若しくは注湯量を減少させる第１制御と、当該浴槽への注湯の中止若しくは注湯量の減少の実行に伴って前記給湯側出湯温度が安定した場合に前記浴槽への注湯を許可し若しくは注湯量を増加させる第２制御とを、前記給湯側出湯温度の安定判定が成立する毎に交互に実行することを特徴とする請求項１記載の貯湯式給湯機。
【請求項５】
前記給湯栓に供給される湯の温度を検知する湯温検知手段と、
前記湯温検知手段で検知される給湯側出湯温度が安定したか否かを判定する湯温安定判定手段と、更に備え、
前記湯分配調整手段は、前記浴槽への注湯中に前記給湯栓を介した給湯が開始された場合において、前記給湯栓を介した給湯の実行に伴って前記給湯側出湯温度が安定した場合に前記浴槽への注湯を中止し若しくは注湯量を減少させる第１制御と、当該浴槽への注湯の中止若しくは注湯量の減少の実行に伴って前記給湯側出湯温度が安定した場合に前記浴槽への注湯を許可し若しくは注湯量を増加させる第２制御とを、前記給湯側出湯温度の安定判定が成立する毎に交互に実行することを特徴とする請求項１記載の貯湯式給湯機。
【発明の詳細な説明】
【技術分野】
【０００１】
この発明は、給湯栓を介した給湯と浴槽への注湯とが可能な貯湯式給湯機に関する。
【背景技術】
【０００２】
従来、例えば特許文献１には、給湯栓を介した給湯と浴槽への注湯とが可能な給湯機の制御装置が開示されている。この従来の給湯機では、浴槽への注湯中に給湯栓を介した給湯が行われた場合に、注湯電磁弁を閉じることにより浴槽への注湯を待機させ、これにより、給湯側の使い勝手が良くなるようにしている。
【先行技術文献】
【特許文献】
【０００３】
【特許文献１】特開２００５−１４７５７６号公報
【発明の概要】
【発明が解決しようとする課題】
【０００４】
しかしながら、上記従来の手法では、給湯栓を介した給湯が長期間に渡って継続して行われた場合には、長期間に渡って浴槽への注湯ができなくなるという問題がある。
【０００５】
この発明は、上述のような課題を解決するためになされたもので、給湯栓が長期間に渡って継続して使用される場合であっても、浴槽への注湯を可能にしつつ、給湯側の使い勝手を良くすることができる貯湯式給湯機を提供することを目的とする。
【課題を解決するための手段】
【０００６】
この発明に係る貯湯式給湯機は、湯を貯える貯湯タンクと、前記貯湯タンク内の水を加熱する加熱手段と、前記貯湯タンク内に貯えられている湯を、給湯管を介して給湯栓に供給する給湯手段と、前記貯湯タンク内に貯えられている湯を、前記給湯管を介して浴槽に供給する注湯手段と、前記給湯栓を介した給湯の使用の有無を判定する給湯使用判定手段と、前記浴槽への注湯の有無を判定する注湯判定手段と、前記給湯栓を介した給湯量を検知する給湯量検知手段と、前記給湯栓を介した給湯と前記浴槽への注湯とが同時に行われる場合に、前記給湯量が所定の閾値未満であるか否かを判別する給湯量判別手段と、前記給湯量が前記閾値未満である場合に、前記浴槽への注湯を中止し若しくは注湯量を減少させ、前記給湯量が前記閾値以上である場合に、前記浴槽への注湯を許可し若しくは注湯量を増加させる湯分配調整手段と、を備えるものである。
【発明の効果】
【０００７】
この発明によれば、浴槽への注湯を可能にしつつ、給湯側の使い勝手を良くすることができる貯湯式給湯機を得ることができる。
【図面の簡単な説明】
【０００８】
【図１】本発明の実施の形態１における貯湯式給湯機のシステム構成を示す概略図である。
【図２】図１に示すシステムの制御ブロック図である。
【図３】本発明の実施の形態１の貯湯式給湯機の制御を実現するために、制御部が実行する制御ルーチンを示すフローチャートである。
【図４】本発明の実施の形態２の貯湯式給湯機の制御を実現するために、制御部が実行する制御ルーチンを示すフローチャートである。
【発明を実施するための形態】
【０００９】
本発明の実施の形態について図面に従って説明する。尚、各図において、同一又は相当部分には同一符号を付し説明を省略する。
【００１０】
実施の形態１．
図１は、本発明の実施の形態１における貯湯式給湯機１０のシステム構成を示す概略図である。図１に示す貯湯式給湯機１０は、給湯栓１および浴槽２に供給可能な湯を貯える貯湯タンク１２を内蔵する貯湯タンクユニット１４を備えている。また、貯湯式給湯機１０は、貯湯タンク１２内に供給される水を加熱する（沸き上げる）加熱手段として、冷凍サイクルを利用するヒートポンプユニット１６を備えている。
【００１１】
貯湯タンク１２とヒートポンプユニット１６とは、ヒートポンプ往き配管１８とヒートポンプ戻り配管２０とによって接続されている。そして、両者の間で湯水をポンプ（図示省略）を用いて循環させることによって沸き上げられた湯が、貯湯タンク１２内に貯留されるようになっている。
【００１２】
貯湯タンク１２の下部には、水源から水を供給するための給水管２２が接続されている。貯湯タンクユニット１４内を所定圧以下に保つため、給水管２２の途中には、減圧弁２４が備えられている。貯湯タンク１２の上部には、貯湯タンク１２から出た湯が流れる給湯管２６の一端が接続されている。給湯管２６の他端は、二股状に分岐しており、その一方は給湯用混合弁２８に接続され、他方は風呂用（注湯用）混合弁３０に接続されている。
【００１３】
また、三方弁である給湯用混合弁２８および風呂用混合弁３０は、減圧弁２４の下流側において給水管２２から分岐した給水分岐管３２にそれぞれ接続されている。更に、給湯用混合弁２８には、給湯用配管３４の一端が接続されており、風呂用混合弁３０には、風呂用配管３６の一端が接続されている。給湯用配管３４の他端は、給湯栓１に接続されている。
【００１４】
また、風呂用配管３６の途中には、当該風呂用配管３６の開閉を担う風呂注湯電磁弁３８が設置されている。風呂用配管３６は、風呂注湯電磁弁３８の下流において、風呂往き配管４０ａおよび風呂戻り配管４０ｂとして、二股状に分岐している。風呂往き配管４０ａおよび風呂戻り配管４０ｂの他端は、それぞれ浴槽アダプタ４２を介して浴槽２に接続されている。
【００１５】
給湯用配管３４の途中には、給湯栓１に供給される湯（混合湯）の流量を検知する給湯用流量センサ４４と、この混合湯の温度を検知する給湯用サーミスタ４６とが設置されている。また、風呂用配管３６の途中にも、同様に、浴槽２に供給される湯（混合湯）の流量を検知する風呂用流量センサ４８と、この混合湯の温度を検知する風呂用サーミスタ５０とが設置されている。また、図１に示すシステムは、貯湯式給湯機１０を総合的に制御する制御部５２を備えている。
【００１６】
図２は、図１に示すシステムの制御ブロック図である。図１、２に示すように、制御部５２の入力側には、上述した給湯用流量センサ４４、給湯用サーミスタ４６、風呂用流量センサ４８、および風呂用サーミスタ５０が電気的に接続されている。また、制御部５２の出力側には、上述したヒートポンプユニット１６、給湯用混合弁２８、風呂用混合弁３０、および風呂注湯電磁弁３８が電気的に接続されている。
【００１７】
以上のように構成された貯湯式給湯機１０では、給湯栓１が開放された際には、給湯管２６を介して貯湯タンク１２から取り出された湯と給水分岐管３２から供給される水とが給湯用混合弁２８によって任意の割合で混合されたうえで、これらの湯と水の混合湯が給湯用配管３４および給湯栓１を通って外部に供給（給湯）されるようになっている。また、制御部５２がリモコン装置（図示省略）を介して浴槽２の使用者からの湯はり指示等の要求を検知した際に、風呂注湯電磁弁３８が開放され、これにより、給湯管２６を介して貯湯タンク１２から取り出された湯と給水分岐管３２から供給される水とが風呂用混合弁３０によって任意の割合で混合されたうえで、これらの湯と水の混合湯が風呂用配管３６、風呂往き配管４０ａ、風呂戻り配管４０ｂ、および浴槽アダプタ４２を通って浴槽２に供給（注湯）されるようになっている。
【００１８】
更に、本実施形態では、給湯栓１を介した給湯と浴槽２への注湯とが同時に行われる場合には、給湯用流量センサ４４の検出値に基づき、風呂注湯電磁弁３８の開閉を切り替えるようになっている。先ず、給湯栓１を介した給湯中に浴槽２への注湯が行われた場合の制御について説明する。このような場合には、本実施形態では、給湯用流量センサ４４にて検知された給湯量（給湯流量）が、所定の閾値（例えば、給湯栓１単独使用時の出湯量の約８０％の値）未満となると、風呂注湯電磁弁３８が閉止されることにより、浴槽２への注湯が中止（待機状態と）される。そして、その後に給湯量が上記閾値以上となった場合には、風呂注湯電磁弁３８が再度開放されることにより、浴槽２への注湯が再開（許可）される。更に、浴槽２への注湯の再開によって給湯量が再び上記閾値未満となった場合には、風呂注湯電磁弁３８が再度閉止されることにより、浴槽２への注湯が待機状態とされる。以後、浴槽２への湯はりが完了するまでの間は、給湯量に関する上記判定に基づく風呂注湯電磁弁３８の開閉が繰り返し実行される。
【００１９】
次に、浴槽２への注湯中に給湯栓１を介した給湯が行われた場合の制御について説明する。このような場合においても、本実施形態では、給湯用流量センサ４４にて給湯量が検知され始めると、風呂注湯電磁弁３８が閉止されることにより、浴槽２への注湯が中止（待機状態と）される。その後、給湯量が上記閾値以上となった場合には、給湯量が安定したと判断された後に、風呂注湯電磁弁３８が再度開放されることにより、浴槽２への注湯が再開（許可）される。更に、浴槽２への注湯の再開によって給湯量が再び上記閾値未満となった場合には、風呂注湯電磁弁３８が再度閉止されることにより、浴槽２への注湯が待機状態とされる。以後、浴槽２への湯はりが完了するまでの間は、給湯量に関する上記判定に基づく風呂注湯電磁弁３８の開閉が繰り返し実行される。
【００２０】
給湯栓１を介した給湯と浴槽２への注湯とは、貯湯タンク１２の上部に接続された共通の給湯管２６を用いて行われる。このため、当該給湯と当該注湯とが同時に行われる場合には、給湯側への出湯量（給湯量）の減少が懸念される。これに対し、以上説明した制御によれば、給湯量が所定の閾値未満である場合に風呂注湯電磁弁３８を閉じて浴槽２への注湯を中止することにより、給湯栓１を介した給湯と浴槽２への注湯とが同時に要求される場合において、給湯量の減少が抑制されるので、給湯側の使い勝手を良くすることができる。そして、給湯量が上記閾値以上である場合（給湯量が十分に確保されている場合）に風呂注湯電磁弁３８を開放して浴槽２への注湯を許可することにより、給湯栓１の使用中に浴槽２への注湯の機会が確保される。これにより、給湯栓１が長期間に渡って継続して使用される場合であっても、浴槽２への注湯を可能にしつつ、給湯側の使い勝手を良くすることができる貯湯式給湯機を得ることができる。
【００２１】
図３は、上述した本発明の実施の形態１の貯湯式給湯機１０の制御部５２が実行する制御ルーチンを示すフローチャートである。図３に示すルーチンでは、先ず、ステップＳ１において、給湯栓１を介した給湯の使用の有無を確認するため、給湯用流量センサ４４の検知の有無が判定される。その結果、ステップＳ１にて給湯用流量センサ４４の検知ありの場合には、ステップＳ２において、給湯流量が検知されたうえで記憶される。
【００２２】
次に、ステップＳ３において、浴槽２への注湯の有無を確認するため、風呂用流量センサ４８の検知の有無が判定される。その結果、風呂用流量センサ４８の検知がない場合には、給湯栓１が継続して使用される。一方、風呂用流量センサ４８の検知ありの場合、すなわち、給湯栓１を介した給湯中に浴槽２への注湯が開始された場合には、ステップＳ４において、上記ステップＳ２にて記憶された給湯流量が所定の閾値（例えば、ステップＳ２での検出値の約８０％の値）未満であるか否かが判別される。
【００２３】
上記ステップＳ４における判定が不成立となる場合には、給湯量が十分に確保されていると判断され、給湯栓１を介した給湯および浴槽２への注湯（風呂注湯）の双方が継続して使用される。一方、上記ステップＳ４における判定が成立する場合には、給湯量が不足していると判断され、ステップＳ５において、風呂注湯電磁弁３８が閉止される。これにより、浴槽２への注湯が中止（待機状態と）される。
【００２４】
次に、ステップＳ６において、浴槽２への注湯の中止後の給湯流量が、給湯用流量センサ４４を用いて検知されたうえで記憶される。次いで、ステップＳ７において、上記ステップＳ６にて記憶された給湯流量が上記閾値以上であるか否かが判別される。その結果、本ステップＳ７の判定が不成立である間は、風呂注湯電磁弁３８が閉止されている状態で、給湯流量の検知および記憶が継続される。一方、本ステップＳ７の判定が成立する場合には、ステップＳ８において、風呂注湯電磁弁３８が開放され、浴槽２への注湯が再開（許可）される。これにより、給湯栓１を介した給湯と浴槽２への注湯とが同時に使用される。
【００２５】
次に、ステップＳ９において、風呂用流量センサ４８の検出値を利用して浴槽２への注湯量の積算量が算出されたうえで、当該積算量に基づいて、設定された湯はり量での湯はりの完了の有無が判定される。その結果、湯はりが未だ完了していない場合には、上記ステップＳ４に戻って当該ステップＳ４以降の処理が繰り返し実行される。一方、湯はりが完了したと判定された場合には、風呂注湯電磁弁３８が閉止され、給湯栓１を介した給湯が継続される。
【００２６】
一方、上記ステップＳ１において、給湯用流量センサ４４の検知なしと判定された場合には、次いで、ステップＳ１０において、浴槽２への注湯の有無を確認するため、風呂用流量センサ４８の検知の有無が判定される。その結果、風呂用流量センサ４８の検知なしと判定された場合には、ステップＳ１に戻る。
【００２７】
また、上記ステップＳ１０において、風呂用流量センサ４８の検知ありと判定された場合には、ステップＳ１１において、給湯栓１の使用の有無を確認するため、給湯用流量センサ４４の検知の有無が判定される。その結果、給湯用流量センサ４４の検知なしと判定された場合には、風呂側のみの使用となるので、その後に給湯栓１の使用があると判定されるまで、風呂注湯が継続される。一方、上記ステップＳ１１において、給湯用流量センサ４４の検知ありと判定された場合、すなわち、浴槽２への注湯中に給湯栓１を介した給湯が開始された場合には、ステップＳ１２にて給湯流量が検知されたうえで記憶される。次いで、上記ステップＳ５に進み、先ず、風呂注湯電磁弁３８が閉止されたうえで、上記ステップＳ６以降の処理が実行されることになる。
【００２８】
以上説明した図３に示すルーチンの処理によれば、給湯栓１を介した給湯中に浴槽２への注湯が開始された場合、或いは、浴槽２への注湯中に給湯栓１を介した給湯が開始された場合に、給湯量の判定結果に応じて風呂注湯電磁弁３８の開閉を行うことにより、給湯栓１が長期間に渡って継続して使用される場合であっても、浴槽２への注湯を可能にしつつ、給湯側の使い勝手を良くすることができる貯湯式給湯機を得ることができる。
【００２９】
ところで、上述した実施の形態１においては、給湯用流量センサ４４および風呂用流量センサ４８によって、給湯栓１を介した給湯量および浴槽２への注湯量をそれぞれ検知するようにしている。しかしながら、上記給湯量や注湯量を検知するものであれば、流量センサに限定されるものではなく、他の形式の検知手段であってもよいことは勿論である。
【００３０】
また、上述した実施の形態１においては、給湯量が上記閾値未満である場合に、浴槽２への注湯を中止し、給湯量が上記閾値以上である場合に、浴槽２への注湯を許可（再開）するようにしている。しかしながら、本発明は、これに限定されるものではなく、給湯量が上記閾値未満である場合に、浴槽２への注湯量を減少させ、給湯量が上記閾値以上である場合に、浴槽２への注湯量を増加させるものであってもよい。
【００３１】
実施の形態２．
次に、図１、２とともに図４を新たに参照して、本発明の実施の形態２について説明する。尚、本実施形態の貯湯式給湯機のシステム構成は、上記図１、２に示す構成と同様であるため、ここでは、その説明を省略する。
【００３２】
給湯栓１を介した給湯と浴槽２への注湯とが同時に行われている場合に風呂注湯電磁弁３８の開閉が行われると、既述したように給湯量が増減する。貯湯式給湯機１０では、そのような給湯量の増減が生じた場合には、制御部５２によって、増減後の給湯量において湯の温度が設定温度となるように、給湯用サーミスタ４６の検出値に基づく給湯用混合弁２８の開度調整が行われる。この場合には、そのような開度調整が反映されるまで、給湯栓１に供給される湯の温度（以下、「給湯側出湯温度」と称する）が変動する。
【００３３】
本実施形態では、給湯栓１を介した給湯と浴槽２への注湯とが同時に行われる場合においても、給湯量を確保しつつ、風呂注湯電磁弁３８の開閉に伴う給湯側出湯温度の変動が抑制されるようにし、これにより、給湯栓１を使い勝手良く使用できる貯湯式給湯機を得るべく、以下のような制御を行うこととした。
【００３４】
先ず、給湯栓１を介した給湯中に浴槽２への注湯が行われた場合の制御について具体的に説明する。このような場合には、本実施形態では、給湯用サーミスタ４６にて検知された給湯側出湯温度が、所定の安定基準（例えば、出湯温度の検出値が５秒間安定していること）を満足しているか否かが判断される。そして、給湯側出湯温度が上記安定基準を満足した場合には、風呂注湯電磁弁が閉止されることにより、浴槽２への注湯が中止（待機状態と）される。その後、給湯側出湯温度が上記安定基準を再度満足した場合には、風呂注湯電磁弁が再度開放されることにより、浴槽２への注湯が再開（許可）される。以後、浴槽２への湯はりが完了するまでの間は、給湯側出湯温度に関する上記判定に基づく風呂注湯電磁弁３８の開閉が繰り返し実行される。
【００３５】
次に、浴槽２への注湯中に給湯栓１を介した給湯が行われた場合の制御について具体的に説明する。このような場合においても、本実施形態では、給湯用サーミスタ４６にて検知された給湯側出湯温度が上記安定基準を満足した場合には、風呂注湯電磁弁３８が閉止されることにより、浴槽２への注湯が中止（待機状態と）される。その後、給湯側出湯温度が上記安定基準を再度満足した場合には、風呂注湯電磁弁３８が再度開放されることにより、浴槽２への注湯が再開（許可）される。以後、浴槽２への湯はりが完了するまでの間は、給湯側出湯温度に関する上記判定に基づく風呂注湯電磁弁３８の開閉が繰り返し実行される。
【００３６】
以上説明した制御によれば、給湯側出湯温度が所定の安定基準を満足したという条件が成立する毎に、風呂注湯電磁弁３８の開閉が行われ、浴槽２への注湯の中止および再開が繰り返し行われるようになる。このため、給湯栓１を介した給湯と浴槽２への注湯とが同時に要求される場合において、給湯量の減少を抑えることにより当該給湯量を確保しつつ、給湯側出湯温度の変動を抑制することができ、これにより、給湯栓１を使い勝手良く使用できる貯湯式給湯機を得ることができる。また、給湯栓１が長期間に渡って継続して使用される場合であっても、浴槽２への注湯を可能にしつつ、給湯側の使い勝手を良くすることができる。
【００３７】
図４は、上述した本発明の実施の形態２の貯湯式給湯機１０の制御部５２が実行する制御ルーチンを示すフローチャートである。図４に示すルーチンでは、先ず、ステップＳ１２において、給湯栓１を介した給湯の使用の有無を確認するため、給湯用流量センサ４４の検知の有無が判定される。その結果、ステップＳ１２にて給湯用流量センサ４４の検知ありの場合には、ステップＳ１３において、給湯用サーミスタ４６を用いて、給湯側出湯温度（給湯サーミスタ温度）が検知されたうえで記憶される。
【００３８】
次に、ステップＳ１４において、浴槽２への注湯の有無を確認するため、風呂用流量センサ４８の検知の有無が判定される。その結果、風呂用流量センサ４８の検知がない場合には、給湯栓１が継続して使用される。一方、風呂用流量センサ４８の検知ありの場合、すなわち、給湯栓１を介した給湯中に浴槽２への注湯が開始された場合には、ステップＳ１５において、上記ステップＳ１３にて記憶された給湯側出湯温度が所定の安定基準（例えば、出湯温度の検出値が５秒間安定していること）を満足するか否かが判別される。
【００３９】
その結果、上記ステップＳ１５における判定が成立する場合には、給湯側出湯温度が安定していると判断される。この場合には、次いで、ステップＳ１６において、風呂注湯電磁弁３８が閉止される。これにより、浴槽２への注湯が中止（待機状態と）される。
【００４０】
次に、ステップＳ１７において、風呂注湯電磁弁３８が停止された状態において現在の給湯側出湯温度が上記安定基準を満足するか否かが再度判別される。その結果、本ステップＳ１７における判定が成立する場合には、次いで、ステップＳ１８において、風呂注湯電磁弁３８が開放され、浴槽２への注湯が再開（許可）される。これにより、給湯栓１を介した給湯と浴槽２への注湯とが同時に使用される。
【００４１】
次に、ステップＳ１９において、風呂用流量センサ４８の検出値を利用して浴槽２への注湯量の積算量が算出されたうえで、当該積算量に基づいて、設定された湯はり量での湯はりの完了の有無が判定される。その結果、湯はりが未だ完了していない場合には、上記ステップＳ１５に戻って当該ステップＳ１５以降の処理が繰り返し実行される。一方、湯はりが完了したと判定された場合には、風呂注湯電磁弁３８が閉止され、給湯栓１を介した給湯が継続される。
【００４２】
一方、上記ステップＳ１２において、給湯用流量センサ４４の検知なしと判定された場合には、次いで、ステップＳ２０において、浴槽２への注湯の有無を確認するため、風呂用流量センサ４８の検知の有無が判定される。その結果、風呂用流量センサ４８の検知なしと判定された場合には、ステップＳ１２に戻る。
【００４３】
また、上記ステップＳ２０において、風呂用流量センサ４８の検知ありと判定された場合には、ステップＳ２１において、給湯栓１の使用の有無を確認するため、給湯用流量センサ４４の検知の有無が判定される。その結果、給湯用流量センサ４４の検知なしと判定された場合には、風呂側のみの使用となるので、その後に給湯栓１の使用があると判定されるまで、風呂注湯が継続される。一方、上記ステップＳ２１において、給湯用流量センサ４４の検知ありと判定された場合、すなわち、浴槽２への注湯中に給湯栓１を介した給湯が開始された場合には、ステップＳ２２にて給湯流量が検知されたうえで記憶される。次いで、上記ステップＳ１５に進み、先ず、給湯側出湯温度が上記安定基準を満足するか否かが判断されたうえで、上記ステップＳ１６以降の処理が実行されることになる。
【００４４】
以上説明した図４に示すルーチンの処理によれば、給湯栓１を介した給湯中に浴槽２への注湯が開始された場合、或いは、浴槽２への注湯中に給湯栓１を介した給湯が開始された場合に、給湯側出湯温度が所定の安定基準を満足したという条件が成立する毎に、風呂注湯電磁弁３８の開閉が行われる。その結果、給湯量の減少の抑制により当該給湯量を確保しつつ、給湯側出湯温度の変動を抑制することができ、これにより、給湯栓１を使い勝手良く使用できる貯湯式給湯機を得ることができる。また、給湯栓１が長期間に渡って継続して使用される場合であっても、浴槽２への注湯を可能にしつつ、給湯側の使い勝手を良くすることができる。
【００４５】
ところで、上述した実施の形態１、２においては、給湯用サーミスタ４６によって給湯側出湯温度を検知するようにしている。しかしながら、上記給湯側出湯温度を検知するものであれば、サーミスタに限定されるものではなく、他の形式の検知手段であってもよいことは勿論である。
【００４６】
また、上述した実施の形態１、２においては、浴槽２への注湯の中止および再開を切り替える手段として、制御部５２によって制御される電磁弁である風呂注湯電磁弁３８を例に挙げて説明を行った。しかしながら、そのような手段は、制御部５２によって制御されるものであれば、電磁弁に限定されるものではなく、他の形式の弁であってもよいことは勿論である。
【００４７】
また、上述した実施の形態２においては、給湯側出湯温度が上記安定基準を満足したという条件が成立する毎に、風呂注湯電磁弁３８の開閉によって、浴槽２への注湯を中止し、或いは、浴槽２への注湯を許可（再開）するようにしている。しかしながら、本発明は、これに限定されるものではなく、給湯側出湯温度が上記安定基準を満足したという条件が成立する毎に、浴槽２への注湯量を減少させ、或いは、浴槽２への注湯量を増加させるものであってもよい。
【００４８】
なお、上述の例以外の出湯温度安定基準としては、例えば５秒間中の出湯検知温度の上限値と下限値の差が１．０℃以内というような範囲指定による基準や、５秒間中の出湯検知温度バラツキ（例えば所定時間での温度データの標準偏差σ＝０．３以下）による判定基準等の出湯温度の安定を判断できる方法などを用いても良い。
【００４９】
また、上述した実施の形態１における給湯量の判定結果に応じた風呂注湯電磁弁３８の開閉による浴槽２への注湯の制御と、上述した実施の形態２における給湯側出湯温度が安定基準を満足するか否かに基づく風呂注湯電磁弁３８の開閉による浴槽２への注湯の制御とを組み合わせて実行してもよい。
【符号の説明】
【００５０】
１    給湯栓
２    浴槽
１０  貯湯式給湯機
１２  貯湯タンク
１４  貯湯タンクユニット
１６  ヒートポンプユニット
２２  給水管
２６  給湯管
２８  給湯用混合弁
３０  風呂用（注湯用）混合弁
３２  給水分岐管
３４  給湯用配管
３６  風呂用配管
３８  風呂注湯電磁弁
４０ａ  風呂往き配管
４０ｂ  風呂戻り配管
４２  浴槽アダプタ
４４  給湯用流量センサ
４６  給湯用サーミスタ
４８  風呂用流量センサ
５０  風呂用サーミスタ
５２  制御部
【図１】
2011102685.tif 000003
【図２】
2011102685.tif 000004
【図３】
2011102685.tif 000005
【図４】
2011102685.tif 000006